【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
移動装置に与えられるデータ帯域巾の大きさを調整するシステムであって、
前記データ帯域巾の大きさを調整するための要求を前記移動装置から受けるように構成された帯域巾調整ファシリテータと、
前記帯域巾調整ファシリテータと通信する帯域巾スロットラであって、前記移動装置に利用可能な超過データ帯域巾を制限し又は割り当てる帯域巾スロットラと、を備え、
前記要求を受けた際に、前記帯域巾調整ファシリテータが、前記要求を処理し、前記要求が好適に処理される場合に、前記移動装置に与えられる前記データ帯域巾を前記帯域巾スロットラにより調整する、システム。
【請求項２】
前記データ帯域巾の大きさを調整するための前記要求が、ショートメッセージングサービス（ＳＭＳ）メッセージ、電子テキストメッセージ、非構造付加サービスデータ（ＵＳＳＤ）メッセージのうちの１つの形態である、請求項１に記載のシステム。
【請求項３】
前記データ帯域巾が、データ帯域巾が９．６ｋｂｐｓ以下の細流モード及びデータ帯域巾が少なくとも２Ｍｂｐｓの増流モードよりなる、２つのモードの間で調整可能である、請求項１に記載のシステム。
【請求項４】
複数の加入者の詳細を保持するように構成された加入者データベースと、各加入者の利用可能な資金を精算及び確認すると共に各加入者の取扱い履歴を保持するために前記加入者データベースとデータ通信するように構成されたアカウントデータベースと、を備える、請求項１に記載のシステム。
【請求項５】
前記データ帯域巾が、データ帯域巾が９．６ｋｂｐｓ以下の細流モード及びデータ帯域巾が少なくとも２Ｍｂｐｓの増流モードよりなる、２つのモードの間で調整可能であり、
前記システムが、複数の加入者の詳細を保持するように構成された加入者データベースと、各加入者の利用可能な資金を精算及び確認すると共に各加入者の取扱い履歴を保持するために前記加入者データベースとデータ通信するように構成されたアカウントデータベースと、を備え、
前払い加入者のデフォルトモードが前記細流モードである、請求項１に記載のシステム。
【請求項６】
前記移動装置が、前記移動装置の利用プロファイルに基づいて前記要求を前記帯域巾調整ファシリテータに自動的に送るように構成される、請求項１に記載のシステム。
【請求項７】
前記帯域巾調整ファシリテータが、前記移動装置の利用プロファイルを監視するように構成され、前記利用プロファイルに応じて、前記データ帯域巾を調整するためのプロンプトを前記移動装置へ送る、請求項１に記載のシステム。
【請求項８】
前記データ帯域巾が、データ帯域巾が９．６ｋｂｐｓ以下の細流モード及びデータ帯域巾が少なくとも２Ｍｂｐｓの増流モードよりなる、２つのモードの間で調整可能であり、
前記データ帯域巾を増流モードへ調整するための前記利用プロファイルが、前記移動装置が所定期間に亘って前記細流モードの最大データ帯域巾を消費したかどうか、ビデオ、画像又は大きなファイルを配送すると知られているＵＲＬ／ＩＰアドレスとのアクティブな接続が所定期間に亘って確立されることの検出、特定の形式及びサイズのファイルがアクセスされ又はダウンロードされることの検出、並びに前記移動装置がｈｔｔｐプログレッシブダウンロードを利用することの検出のうちの１つ以上に基づく、請求項６又は７に記載のシステム。
【請求項９】
前記帯域巾調整ファシリテータが、前記要求を処理する前に前記移動装置のアクセスポイント名（ＡＰＮ）を確認するように構成される、請求項１に記載のシステム。
【請求項１０】
帯域巾の利用が、特定時間毎支払モデル又はアクション毎支払モデルのいずれかに基づき課金又は請求される、請求項１に記載のシステム。
【請求項１１】
前記特定時間毎支払モデル又は前記アクション毎支払モデルが、前記移動装置から前記帯域巾調整ファシリテータへ要求を送ることにより作動され、前記帯域巾調整ファシリテータが、前記要求を受け取ると、前記特定時間毎支払モデルを実施する既存請求インフラストラクチャと、前記アクション毎支払モデルを実施する独立請求モジュールとの間をトグルするように動作する、請求項１０に記載のシステム。
【請求項１２】
前記既存請求インフラストラクチャから前記独立請求モジュールへのトグルが、前記既存請求インフラストラクチャをスイッチオフするか、又は前記データ帯域巾の接続をゼロ料率として定義することにより行われる、請求項１１に記載のシステム。
【請求項１３】
移動装置に与えられるデータ帯域巾の大きさを調整する方法であって、
ａ．帯域巾調整ファシリテータで、帯域巾を調整するための要求を前記移動装置から受ける段階と、
ｂ．帯域巾を調整するための前記要求を処理する段階と、
ｃ．前記要求が好適に処理される際に、前記移動装置への前記データ帯域巾を帯域巾スロットラにより調整する段階と、を含む方法。
【請求項１４】
データ帯域巾の大きさを調整するための前記要求が、ショートメッセージングサービス（ＳＭＳ）メッセージ、電子テキストメッセージ、非構造付加サービスデータ（ＵＳＳＤ）メッセージのうちの１つの形態である、請求項１３に記載の方法。
【請求項１５】
前記帯域巾が、データ帯域巾が９．６ｋｂｐｓ以下の細流モード及びデータ帯域巾が少なくとも２Ｍｂpｓの増流モードよりなる、２つのモードの間で調整可能である、請求項１３に記載の方法。
【請求項１６】
前記処理する段階が、前記移動装置が加入者アカウント及び加入者形式（前払い又は後払い）を有するかどうか判定するために加入者データベースを確認すること、及び帯域巾の前記調整を行うために資金の利用可能性についてアカウントデータベースを確認することを含む、請求項１３に記載の方法。
【請求項１７】
前記帯域巾が、データ帯域巾が９．６ｋｂｐｓ以下の細流モード及びデータ帯域巾が少なくとも２Ｍｂpｓの増流モードよりなる、２つのモードの間で調整可能であり、
前記処理する段階が、前記移動装置が加入者アカウント及び加入者形式（前払い又は後払い）を有するかどうか判定するために加入者データベースを確認すること、及び帯域巾の前記調整を行うために資金の利用可能性についてアカウントデータベースを確認することを含み、
前払い加入者のデフォルトモードが前記細流モードである、請求項１３に記載の方法。
【請求項１８】
前記要求が、前記移動装置の利用プロファイルに基づいて前記帯域巾調整ファシリテータに自動的に送られる、請求項１３に記載の方法。
【請求項１９】
前記帯域巾調整ファシリテータが、前記移動装置の利用プロファイルを監視するように構成され、前記利用プロファイルに応じて、前記データ帯域巾を調整するためのプロンプトを前記移動装置へ送る、請求項１３に記載の方法。
【請求項２０】
前記帯域巾が、データ帯域巾が９．６ｋｂｐｓ以下の細流モード及びデータ帯域巾が少なくとも２Ｍｂpｓの増流モードよりなる、２つのモードの間で調整可能であり、
利用プロファイルの前記監視が、前記移動装置が所定期間に亘って前記細流モードの最大データ帯域巾を消費したかどうか、ビデオ、画像又は大きなファイルを配送すると知られているＵＲＬ／ＩＰアドレスとのアクティブな接続が所定期間に亘って確立されることの検出、特定の形式及びサイズのファイルがアクセスされ又はダウンロードされることの検出、並びに前記移動装置がｈｔｔｐプログレッシブダウンロードを利用することの検出のうちの１つ以上に基づく、請求項１９に記載の方法。
【請求項２１】
前記要求を処理する前に前記移動装置のアクセスポイント名（ＡＰＮ）を確認する段階を含む、請求項１３に記載の方法。
【請求項２２】
特定時間毎支払モデル又はアクション毎支払モデルのいずれかに基づいて、消費した前記帯域巾について請求をする付加的な段階を含む、請求項１３に記載の方法。
【請求項２３】
前記特定時間毎支払モデル又は前記アクション毎支払モデルが、前記移動装置から前記帯域巾調整ファシリテータへ要求を送ることにより作動され、前記帯域巾調整ファシリテータが、前記要求を受けると、前記特定時間毎支払モデルを実施する既存請求インフラストラクチャと、前記アクション毎支払モデルを実施する独立請求モジュールとの間をトグルするように動作する、請求項２２に記載の方法。
【請求項２４】
前記既存請求インフラストラクチャから前記独立請求モジュールへの前記トグルが、前記既存請求インフラストラクチャをスイッチオフするか、又は前記データ帯域巾の接続をゼロ料率として定義することにより行われる、請求項２３に記載の方法。
【請求項２５】
ソフトウェアインストラクションを含む移動装置であって、前記ソフトウェアインストラクションを実行する際に、請求項１３に記載の方法を遂行してデータ帯域巾を調整する移動装置。
【請求項２６】
前記ソフトウェアインストラクションが、請求項２０に記載のようにユーザプロファイルを監視することを含む、請求項２５に記載の移動装置。
【請求項２７】
ソフトウェアインストラクションを含む移動装置であって、前記ソフトウェアインストラクションを実行する際に、請求項２３に記載の方法を遂行して、特定時間毎支払モデル又はアクション毎支払モデルのいずれかを選択する移動装置。